(57)【要約】【課題】かご室天井を短期間で更新したかごを提供することを課題とする。【解決手段】エレベータのかご１０は、更新前の天井ＢＣの下側に配置された更新後の天井１１と、更新後の天井１１に隣接しかご室Ｚを形成するかご側板ＳＰと、かご側板ＳＰのかご室側に取付けられ、更新後の天井１１を下方から支える支持部Ｓと、を備える。【選択図】図１
2018184278.tif 000002
【特許請求の範囲】
【請求項１】
エレベータのかごであって、
更新前の天井の下側に配置された更新後の天井と、
前記更新後の天井に隣接しかご室を形成するかご側板と、
前記かご側板のかご室側に取付けられ、前記更新後の天井を下方から支える支持部と、
を備えたことを特徴とするかご。
【請求項２】
前記支持部が、隣り合う前記かご側板で形成される角部に配置されて鉛直方向に延びるブラケット材で構成されることを特徴とする請求項１に記載のかご。
【請求項３】
前記支持部が、前記更新後の天井と前記かご側板とで形成される角部に配置されて水平方向に延びるブラケット材で構成されることを特徴とする請求項１に記載のかご。
【請求項４】
前記かご側板が被係合孔部を有し、
前記ブラケットが、前記被係合孔部にかご室内側から挿入されて係合する係合部を備えたことを特徴とする請求項２または３に記載のかご。
【請求項５】
前記かご側板が、かご室側に張り出す張出し部を備え、
前記張出し部が前記更新後の天井を下方から支えることで前記支持部の機能を有することを特徴とする請求項１に記載のかご。
【発明の詳細な説明】
【技術分野】
【０００１】
本発明の実施形態は、エレベータのかごに関する。
【背景技術】
【０００２】
エレベータのかごは、天井の意匠性などの観点でリニューアル工事（改修工事）をときどき行っている。
【０００３】
この場合のニューアル工事では、エレベータを停止させ、かご室の既設の天井を取外し、新設の天井に交換する。
【先行技術文献】
【特許文献】
【０００４】
【特許文献１】特開2007-131416号公報
【発明の概要】
【発明が解決しようとする課題】
【０００５】
このため、天井のリニューアル工事の工事期間中ではエレベータを使用できない。従って、この工事期間を短くすることが好ましい。
【０００６】
本発明は上記事情に鑑みてなされたものであり、かご室天井を短期間で更新したかごを提供することを課題とする。
【課題を解決するための手段】
【０００７】
本発明の実施形態に係るかごは、エレベータのかごであり、更新前の天井の下側に配置された更新後の天井と、更新後の天井に隣接しかご室を形成するかご側板と、かご側板のかご室側に取付けられ、更新後の天井を下方から支える支持部と、を備える。
【図面の簡単な説明】
【０００８】
【図１】第１実施形態に係るかごで、更新後の天井を見上げた斜視図。
【図２】第１実施形態で、更新後の天井を支えるブラケットを示す部分斜視図。
【図３】第１実施形態に係るかごで、更新後の天井の取付構造を示す側面断面図。
【図４】第２実施形態に係るかごで、更新後の天井を見上げた斜視図。
【図５】第２実施形態に係るかごで、更新後の天井の取付構造を示す側面断面図。
【図６】第３実施形態に係るかごで、更新後の天井を見上げた斜視図。
【図７】第３実施形態に係るかごの変形例で、更新後の天井を見上げた斜視図。
【図８】第４実施形態に係るかごで、更新後の天井を見上げた斜視図。
【図９】図８の矢視Ｐ−Ｐの部分側面断面。
【図１０】第５実施形態に係るかごで、更新後の天井の取付構造を示す側面断面図。
【図１１】第５実施形態で、更新後の天井を取付けているブラケットを示す側面図。
【図１２】第６実施形態に係るかごの変形例で、更新後の天井の取付構造を示す側面断面図。
【図１３】第７実施形態に係るかごの別の変形例で、更新後の天井の取付構造を示す側面断面図。
【発明を実施するための形態】
【０００９】
以下、添付図面を参照して、実施形態に係るかごついて説明する。なお、以下の説明では、同様の構成要素には同じ符号を付してその説明を省略する。
【００１０】
［第１実施形態］
まず、図１〜図３を参照しつつ第１実施形態を説明する。
【００１１】
本実施形態に係るかご１０は、エレベータのかごであり、更新前の天井ＢＣの下側に配置された更新後の天井１１（新規の天井）と、かご室Ｚを形成するかご側板ＳＰと、かご側板ＳＰのかご室Ｚ側に取付けられ、更新後の天井１１を下方から支える支持部Ｓと、を備える。本実施形態では、隣り合うかご側板ＳＰで形成される４つの角部ＥＳにそれぞれ配置されて鉛直方向に延びる４本の落下防止用のブラケット材１４でこの支持部Ｓが構成されている。
【００１２】
更新後の天井１１は、かご室内から見上げると矩形状であり、下面側に天井面１２ｓを有する天井部材１２と、天井面１２ｓの中央部に配置されたかご内照明１３とを備える。
【００１３】
天井面１２ｓは、意匠性の高い意匠面を有している。そして天井部材１２は、天井面１２ｓの各辺から天井裏へ折り曲げられた折曲げ板部１２ｐを各辺毎に備えており、天井部材１２はケース状にも見える。各折曲げ板部１２ｐのうち、少なくとも互いに対向する２つの折曲げ板部１２ｐの内側には、仮止め用の磁石Ｍが残っており、磁石Ｍから生じる磁力がかご側板ＳＰと折曲げ板部１２ｐとに吸着力を及ぼしている。
【００１４】
そして更新後の天井１１は、各ブラケット材１４によって四隅で下方から支えられている。
【００１５】
各ブラケット材１４には、かご側板ＳＰに形成された被係合孔部ＳＰｈ（開口部）に合う位置にスタッドＢＳ（スタッドボルト）が係合しており、各ブラケット材１４が取付けられる際には、かご室側からスタッドＢＳが被係合孔部ＳＰｈを挿通して、かご外（かご側板の外側）でナットＮＳにより締め付けられている。この結果、各ブラケット材１４は各かご側板ＳＰに固定され、更新後の天井１１から受ける重量を支えることができている。
【００１６】
また、かご側板ＳＰのかご内壁側には、かご室内鏡１６や車椅子専用操作盤１８が配置されている。かご室内鏡１６は、鏡面材２０と、鏡面材２０を保持する鏡ブラケット２２とを有する。
【００１７】
（作用、効果）
本実施形態でかご室内の天井をリニューアル（天井意匠をリニューアル）するには、かご内照明１３を予め天井面１２ｓに取付けた更新後の天井１１で更新前の天井ＢＣを覆い、磁石Ｍでかご側板ＳＰに更新後の天井１１を仮止めする。仮止めの際、各折曲げ板部１２ｐのうち、乗降口から見て左右側の２つの折曲げ板部１２ｐの内側に配置してもよいし、全ての折曲げ板部１２ｐ（４つの折曲げ板部）に配置してもよい。
【００１８】
この作業と併行して、かご側板ＳＰに追加加工を施して被係合孔部ＳＰｈを形成し、ブラケット材１４に係合しているスタッドＢＳを被係合孔部ＳＰｈに挿通させ、かご外からナットＮＳでスタッドＢＳをかご側板ＳＰに締め付ける。この締め付けでは、作業員がかご天井に昇り、締め付け作業を行う。
【００１９】
この結果、更新後の天井１１（新規の天井）をブラケット材１４で下方から支える構成にすることができる。
【００２０】
従って、かご室の更新前の天井ＢＣ（既設の天井）を取り外すことなく更新後の天井１１を設置して短期間で簡単にリニューアルすることができる。よって、かご室天井を短期間で更新したかご１０が実現される。なお、更新する際のエレベータの停止期間も必然的に短くなるので、利便性向上や低コスト化も実現される。
【００２１】
また、本実施形態では、更新後の天井１１を下方から支える支持部Ｓが、４つの角部ＥＳにそれぞれ配置されて鉛直方向に延びる４本の落下防止用のブラケット材１４で構成されている。従って、ブラケット材１４を配置してもかご室側壁の意匠性を向上させることができる。
【００２２】
なお、本実施形態では磁石Ｍで天井部材１２をかご側板ＳＰに仮止めする例で説明したが、磁石で天井部材１２を更新前の天井ＢＣに仮止めしてもよい。
【００２３】
また、本実施形態では、スタッドＢＳを被係合孔部ＳＰｈに挿通させ、かご外からナットＮＳで締め付けてブラケット材１４を固定する例で説明したが、後述のプッシュリベットをブラケット材１４が備えていて、プッシュリベットを被係合孔部ＳＰｈに挿通させてブラケット材１４を固定してもよい。これにより、かご室外の作業を行うことなくかご室内からの作業でブラケット材１４を固定することが可能になる。
【００２４】
［第２実施形態］
次に、図４、図５を参照しつつ第２実施形態を説明する。
【００２５】
本実施形態に係るかご３０は、第１実施形態で説明したブラケット材１４に代えて、水平方向に延びる２本の落下防止用のブラケット材３４（図４では描画の都合上で片一方のみを図示）を支持部Ｓとして備えている。このブラケット材３４は、更新後の天井１１とかご側板ＳＰとで形成される角部ＥＴに配置されている。本実施形態では、この角部ＥＴは、乗降口から見て左右側のかご側板ＳＰと更新後の天井１１とで形成される、互いに対向する角部ＥＴである。
【００２６】
（作用、効果）
本実施形態でかご室内の天井をリニューアル（天井意匠をリニューアル）するには、第１実施形態と同様、かご内照明１３を予め天井面１２ｓに取付けた更新後の天井１１で更新前の天井ＢＣを覆い、磁石Ｍでかご側板ＳＰに更新後の天井１１を仮止めする。この作業と併行して、かご側板ＳＰに追加加工を施して被係合孔部ＳＰｈを形成する。そして、ブラケット材３４に係合しているスタッドＢＳを被係合孔部ＳＰｈに挿通させ、かご外からナットＮＳでスタッドＢＳをかご側板ＳＰに締め付ける。この締め付けでは、作業員がかご天井に昇り、締め付け作業を行う。
【００２７】
この結果、更新後の天井１１（新設した天井）をブラケット材３４で下方から支える構成にすることができる。
【００２８】
従って、かご室の更新前の天井ＢＣ（既設の天井）を取り外すことなく更新後の天井１１を設置して短期間で簡単にリニューアルすることができ、第１実施形態と同様、工事期間が短縮化され、かご室天井を短期間で更新したかご３０が実現される。
【００２９】
また、本実施形態では、更新後の天井１１を下方から支える支持部Ｓが、乗降口の左右側の天井の角部ＥＴにそれぞれ配置されて水平方向に延びる２本の落下防止用のブラケット材３４で構成されている。従って、ブラケット材３４でかご床面積を低減させなくても済むという効果も奏される。
【００３０】
なお、第１実施形態と同様、本実施形態では磁石Ｍで天井部材１２をかご側板ＳＰに仮止めする例で説明したが、磁石で天井部材１２を更新前の天井ＢＣに仮止めしてもよい。
【００３１】
［第３実施形態］
次に、図６を参照しつつ第３実施形態を説明する。
【００３２】
本実施形態に係るかご４０は、第１実施形態に比べ、更新後の天井４１にはかご内照明を備えずに、ブラケット材１４の上端部でかご室内側の側壁側にかご内照明４４を備えている。本実施形態でかご室内の天井をリニューアルするには、第１実施形態と同様にして行う。
【００３３】
本実施形態により、第１実施形態で奏される効果に加え、かご床と更新後の天井４１との距離を第１実施形態よりも広げることができ、しかも、かご内照明４４による意匠性の向上を図ることもできる。
【００３４】
なお、図７に示すように、第２実施形態で説明したブラケット材３４のかご内壁側にかご内照明４６を配置したかご４８にしてもよい。
【００３５】
［第４実施形態］
次に、図８、図９を参照しつつ第４実施形態を説明する。
【００３６】
本実施形態に係るかご５０は、第１実施形態に比べ、鉛直方向に延びるブラケット材を備えずに、かご側板ＳＰが、かご室側に張り出す張出し部５２を備え、車椅子専用操作盤１８がこの張出し部５２に配置されている。本実施形態では、張出し部５２が車椅子専用操作盤１８の取付ブラケットとしての機能を有している。
【００３７】
また、かご側板ＳＰに隣接してかご室背面側を形成しているかご側板ＳＰ２が、かご室側に張り出す張出し部５４を備え、かご室内鏡１６がこの張出し部５４に配置されている。本実施形態では、張出し部５４がかご室内鏡１６の取付ブラケットとしての機能を有している。
【００３８】
そして、張出し部５２、５４は、更新後の天井１１を下方から支えることで、それぞれ、更新後の天井１１を下方から支える支持部Ｓとしての機能も有している。
【００３９】
図９に示すように、張出し部５２は、かご側板ＳＰにかご室内から取付けられた第一板部材５６と、第一板部材５６を覆うようにかご室内から取付けられた第二板部材５８とを有する。第一板部材５６および第二板部材５８は、それぞれ、互に係合する枠部５６ｆ、５８ｆを備えている。
【００４０】
第一板部材５６は、かご側板ＳＰに形成された被係合孔部にターンナット等の係合部でかご室内からの作業でかご側板ＳＰに固定される。第二板部材５８は、枠部５８ｆと板バネ６０とで第一板部材５６の枠部５６ｆを挟み込んで係合する構成にされている。そして、皿ビスＰＢとナットＮＴとで第一板部材５６と第二板部材５８とが下部でネジ係合している。かご室内鏡１６が配置されている張出し部５４の構成も同様である。
【００４１】
本実施形態では、取付ブラケットの機能を有する張出し部５２、５４が更新後の天井１１を下方から支えるので、第１実施形態と同様に工事期間が短縮化される効果に加え、更新後の天井１１を支えるブラケット材を新たに配置する必要がないという効果も奏される。
【００４２】
また、第一板部材５６はかご室内からの作業でかご側板ＳＰに固定される。すなわち、張出し部５２、５４はかご室内からの作業でかご側板ＳＰに固定され、かご外での作業の必要がない。従って、かご外での作業が必要な場合に比べ、リニューアル工事（更新工事）を更に短期間で容易に行うことができる。
【００４３】
［第５実施形態］
次に、図１０、図１１を参照しつつ第５実施形態を説明する。
【００４４】
本実施形態は、第２実施形態に比べ、ブラケット材の係合形態が異なる。ブラケット材６４は、かご側板ＳＰの被係合孔部ＳＰｈに挿入されるプッシュリベット６６を係合部として備えている。また、更新後の天井を構成する天井部材７２には天井側の被係合孔部７２ｈが形成されており、ブラケット材６４は、天井側の被係合孔部７２ｈから天井部材７２の裏面側（上面側）に入る板バネ６４ｓを係合部として備えている。
【００４５】
板バネ６４ｓは、かご室内に配置されるブラケット材本体６４ｍとの間で天井部材７２を挟むとともに仮止め用の磁石Ｍに係合あるいは嵌合する構成にされている。
【００４６】
本実施形態では、かご室内の天井をリニューアル（天井意匠をリニューアル）する際、第２実施形態と同様、磁石Ｍでかご側板ＳＰに更新後の天井を仮止めする。そしてブラケット材６４の板バネ６４ｓの先端部を天井側の被係合孔部７２ｈに入れるともにプッシュリベット６６をかご側板ＳＰの被係合孔部ＳＰｈに挿入する。この結果、図１０に示すように、プッシュリベット６６のフランジ６６ｆがかご側板ＳＰに当接してブラケット材本体６４ｍ側へ押し込まれ、プッシュリベット６６の脚部６６ｂが開く。この結果、ブラケット材６４が被係合孔部ＳＰｈに係合するとともに、板バネ６４ｓの先端部が磁石Ｍに係合あるいは嵌合する。
【００４７】
従って、ブラケット材６４が、かご側板ＳＰに係合することに加え、板バネ６４ｓで天井部材７２を挟むことによる天井部材７２にも係合し、しかも、仮止めしている磁石Ｍに板バネ６４ｓが係合あるいは嵌合する。従って、第１実施形態と同様に工事期間の短縮化という効果に加え、ブラケット材６４と天井部材７２とを容易にかつ強固に固定することができるという効果も奏される。
【００４８】
しかも、かご室内からの取付作業でかご室内の天井をリニューアルすることができるので、かご外での作業が必要な場合に比べ、リニューアル工事（更新工事）を更に短期間で容易に行うことができる。
【００４９】
［第６実施形態］
次に、図１２を参照しつつ第６実施形態を説明する。
【００５０】
本実施形態は、第２実施形態や第６実施形態に比べ、ブラケット材の係合形態が異なる。ブラケット材８４は、かご室内を向く斜面部８６と、天井部材８２およびかご側板ＳＰの一方に当接する一方面部８８ａと、天井部材８２およびかご側板ＳＰの他方に当接する他方面部８８ｂと、を備えている。一方面部８８ａおよび他方面部８８ｂは、それぞれ、後述の爪部９６が挿通するための開口部９０を有する。本実施形態では、一方面部８８ａと他方面部８８ｂとは同じ寸法であり互いに直交している。
【００５１】
また、ブラケット材８４は、斜面部８６の内側に固定された圧縮コイルバネ固定部９２と、圧縮コイルバネ固定部９２に取付けられて一方面部８８ａ側および他方面部８８ｂ側にそれぞれ延びる圧縮コイルバネ９４と、各圧縮コイルバネ９４の先端に取付けられた係合用の爪部９６とを備えている。
【００５２】
そして、天井部材８２およびかご側板ＳＰは、それぞれ、爪部９６が入る天井側の被係合孔部８２ｈおよび側板側の被係合孔部ＳＰｈを有する。
【００５３】
本実施形態でかご室内の天井をリニューアル（天井意匠をリニューアル）するには、第２実施形態と同様に磁石Ｍでかご側板ＳＰに更新後の天井を仮止めする。そして、両方の圧縮コイルバネ９４を縮めて爪部９６を天井側の被係合孔部８２ｈおよび側板側の被係合孔部ＳＰｈに近づけ、圧縮コイルバネ９４の縮める力を開放することで、一方の爪部９６が被係合孔部８２ｈおよび被係合孔部ＳＰｈの一方に入り、他方の爪部９６が被係合孔部８２ｈおよび被係合孔部ＳＰｈの他方に入る。従って、第１実施形態と同様に工事期間の短縮化という効果に加え、ブラケット材８４が簡単に係合して装着されるという効果も奏される。
【００５４】
また、かご室内からの取付作業でかご室内の天井をリニューアルすることができるので、かご外での作業が必要な場合に比べ、リニューアル工事（更新工事）を更に短期間で容易に行うことができる。
【００５５】
［第７実施形態］
次に、図１３を参照しつつ第７実施形態を説明する。
【００５６】
本実施形態は、第６実施形態に比べ、天井側の被係合孔部１０２ｈおよび側板側の被係合孔部ＳＰｈがボルト挿通用の寸法に合わせられている。
【００５７】
そして、本実施形態で用いるブラケット材１０４は、天井部材１０２およびかご側板ＳＰに当接するブラケット材本体１０４ｍと、ブラケット材本体１０４ｍに着脱自在に係合する隠し板１０４ｐとを備える。
【００５８】
ブラケット材本体１０４ｍは、天井部材１０２およびかご側板ＳＰの一方に当接する一方面部１０４ｍａと、天井部材１０２およびかご側板ＳＰの他方に当接する他方面部１０４ｍｂと、を備えている。一方面部１０４ｍａおよび他方面部１０４ｍｂは、それぞれ、ボルトＢが挿通するための開口部１１０を有する。本実施形態では、一方面部１０４ｍａと他方面部１０４ｍｂとは同じ寸法であり互いに直交している。また、一方面部１０４ｍａおよび他方面部１０４ｍｂは、隠し板１０４ｐの長手方向側部の片側が着脱自在に係合する被係合部Ｑをそれぞれ有する。
【００５９】
本実施形態でかご室内の天井をリニューアル（天井意匠をリニューアル）するには、第２実施形態と同様、磁石Ｍでかご側板ＳＰに更新後の天井を仮止めする。そしてブラケット材本体１０４ｍを天井部材１０２およびかご側板ＳＰに当接させ、天井部材１０２およびかご側板ＳＰにターンナットＴＮ（係合部）付きのボルトＢで係合させることでブラケット材本体１０４ｍを天井部材１０２およびかご側板ＳＰに締結する。
【００６０】
そして、天井部材１０２の被係合部Ｑおよびかご側板ＳＰの被係合部Ｑに隠し板１０４ｐをかご室内から押圧することで、隠し板１０４ｐを着脱自在に取付ける。
【００６１】
これにより、ブラケット材１０４が簡単に係合して装着され、また、ブラケット材１０４の取り外しが容易である。また、かご室内からの取付作業でかご室内の天井をリニューアルすることができるので、かご外での作業が必要な場合に比べ、リニューアル工事（更新工事）を更に短期間で容易に行うことができる。また、隠し板１０４ｐにより意匠性を向上させることが可能になる。
【００６２】
以上、いくつかの実施形態を説明したが、これらの実施形態は、例として提示したものであり、発明の範囲はそれらに限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００６３】
１０…かご、１１…更新後の天井、１２…天井部材、１２ｐ…折曲げ板部、１２ｓ…天井面、１３…かご内照明、１４…ブラケット材、１６…かご室内鏡、１８…車椅子専用操作盤、２０…鏡面材、２２…鏡ブラケット、３０…かご、３４…ブラケット材、４０…かご、４１…更新後の天井、４４…かご内照明、４６…かご内照明、４８…かご、５２…張出し部、５４…張出し部、５６…第一板部材、５８…第二板部材、５６ｆ…枠部、５８ｆ…枠部、６０…板バネ、６４…ブラケット材、６４ｓ…板バネ、６４ｍ…ブラケット材本体、６６…プッシュリベット、６６ｂ…脚部、６６ｆ…フランジ、７２…天井部材、７２ｈ…被係合孔部、８２…天井部材、８２ｈ…被係合孔部、８４…ブラケット材、８６…斜面部、８８ａ…一方面部、８８ｂ…他方面部、９０…開口部、９２…圧縮コイルバネ固定部、９４…圧縮コイルバネ、９６…爪部、１０２…天井部材、１０２ｈ…被係合孔部、１０４…ブラケット材、１０４ｍ…ブラケット材本体、１０４ｍａ…一方面部、１０４ｍｂ…他方面部、１０４ｐ…隠し板、１１０…開口部、Ｂ…ボルト、ＢＣ…更新前の天井、ＢＳ…スタッド、ＥＳ…角部、ＥＴ…角部、Ｍ…磁石、ＮＴ…ナット、ＮＳ…ナット、ＰＢ…皿ビス、Ｑ…被係合部、Ｓ…支持部、ＳＰ…かご側板、ＳＰｈ…被係合孔部、ＴＮ…ターンナット、Ｚ…かご室。
【図１】
2018184278.tif 000003
【図２】
2018184278.tif 000004
【図３】
2018184278.tif 000005
【図４】
2018184278.tif 000006
【図５】
2018184278.tif 000007
【図６】
2018184278.tif 000008
【図７】
2018184278.tif 000009
【図８】
2018184278.tif 000010
【図９】
2018184278.tif 000011
【図１０】
2018184278.tif 000012
【図１１】
2018184278.tif 000013
【図１２】
2018184278.tif 000014
【図１３】
2018184278.tif 000015
【手続補正書】
【提出日】平成30年5月2日(2018.5.2)
【手続補正１】
【補正対象書類名】特許請求の範囲
【補正対象項目名】全文
【補正方法】変更
【補正の内容】
【特許請求の範囲】
【請求項１】
エレベータのかごであって、
更新前の天井の下側に配置されてかご側板の内壁側に隣接している更新後の天井と、
前記更新後の天井から下側の空間であるかご室から前記かご側板に取付けられ、前記更新後の天井を下方から支える支持部と、
を備え、
前記かご側板が、かご室側に張り出してかご室壁面の一部を形成している張出し部を備え、
前記張出し部が前記更新後の天井を下方から支えることで前記支持部の機能を有することを特徴とするかご。
【請求項２】
前記支持部が、隣り合う前記かご側板で形成される角部に配置されて鉛直方向に延びるブラケット材で構成されることを特徴とする請求項１に記載のかご。
【請求項３】
前記支持部が、前記更新後の天井と前記かご側板とで形成される角部に配置されて水平方向に延びるブラケット材で構成されることを特徴とする請求項１に記載のかご。
【請求項４】
前記かご側板が被係合孔部を有し、
前記ブラケットが、前記被係合孔部にかご室内側から挿入されて係合する係合部を備えたことを特徴とする請求項２または３に記載のかご。